(57)【要約】容器の開口端上に係合するための事前箔張クロージャ（２）は、クロージャの非開口可能部（６）に対して枢動できる開口可能部（１８）を有する。開口可能部は、箔に溶接された箔保持具（２４）を担持する。クロージャは、容器の周縁に誘導加熱によって密封されるように意図され、開口可能部（１８）を枢動することによって開口できる。この持上げ動作は、箔を引裂き、箔保持具に付設された箔の一部を除去する。これは、クロージャを開口するための別個のリングプルの必要性を排除する。
2009527422.tif 000002
【特許請求の範囲】
【請求項１】
開口部（１０）を画定する注出口（４、４０）と、該開口部（１０）を閉鎖する箔膜（２０；６８）とを備えるクロージャ（２；６００）であって、該クロージャ（２；６００）は、該箔に接合されて該箔膜（２０；６８）の除去可能部分を画定する端部（４２；７２）で終端する箔保持構造（２４；４００；７０；９８）を備える開口可能部（１８；６０；８００）を有し、該箔膜（２０；６８）はまた、容器への取り付け前に該クロージャ（２；６００）の非開口可能部（６；１４０；６２）にも接合され、
該クロージャが、該クロージャを容器の開口端上に係合させるための手段（８；１４０；６６）を有し、該箔膜（２０；６８）が、該容器に誘導加熱によって密封されるように適合された境界を提供するために、該クロージャ（２；６００）内部に保有され、該開口可能部（１８；６０；８００）が、該クロージャの該非開口可能部（６；１４０；６２）に対して枢動可能であること
を特徴とする、クロージャ（２；６００）。
【請求項２】
前記箔膜（２０；６８）は、前記非開口可能部上の前記開口部に近接するランド（３０）に接合されており、その結果、開口過程において、該ランド（３０）と前記箔保持構造（２４）の隣接する部分との間に張設される箔の範囲を形成し、その張設範囲において初期引裂を生成すること
を特徴とする、請求項１に記載のクロージャ。
【請求項３】
前記張設範囲は、ヒンジ（２２）の反対側にあり、前記開口可能部は、該ヒンジを中心にして枢動開口する、請求項２に記載のクロージャ。
【請求項４】
前記開口部（１０）の端部と前記ランド（３０）との間に、少なくとも１つの箔引裂歯（１９）が提供される、請求項２または３に記載のクロージャ。
【請求項５】
前記張設範囲に開口圧力を適用するために、前記開口可能部（１８’）上にプルタブ（３３）が提供される、請求項２、３、または４のいずれか一項に記載のクロージャ。
【請求項６】
前記開口部の端部は、前記張設範囲内において先細にされる、請求項４に記載のクロージャ。
【請求項７】
前記開口可能部は、オーバーキャップ（６０）である、請求項１に記載のクロージャ。
【請求項８】
前記開口可能部（８００）は、前記箔保持構造（７０）の少なくとも一部を担持するオーバーキャップ（６００）の残部から引裂かれるように構成される、請求項１に記載のクロージャ。
【請求項９】
前記構造の端部は、前記箔に連続溶接される、請求項１〜８のいずれか一項に記載のクロージャ。
【請求項１０】
前記端部は、前記箔に断続溶接される、請求項１〜５のいずれか一項に記載のクロージャ。
【請求項１１】
前記端部は、凹凸状である、請求項７に記載のクロージャ。
【請求項１２】
前記端部は、０．３ｍｍ未満の半径を有する、請求項１〜１１のいずれか一項に記載のクロージャ。
【請求項１３】
前記端部は、０．１ｍｍ未満の半径を有する、請求項１〜１２のいずれか一項に記載のクロージャ。
【請求項１４】
前記開口可能部は、ピーク（２６；３４）を有しており、ユーザは、該ピーク（２６；３４）を使用することによって、該開口可能部を枢動させることが可能であり、前記構造（２４；４００）は、前記ピークと一直線に並べられた先端で収束する形状を有する、請求項１〜１３のいずれか一項に記載のクロージャ。
【請求項１５】
前記開口可能部は、ピーク（３４）を有しており、ユーザは、該ピーク（３４）を使用することによって、該開口可能部を枢動させることが可能であり、前記構造は、前記ピークのいずれかの側に離間した先端（５２’）を画定する形状を有する、請求項１〜１０のいずれか一項に記載のクロージャ。
【請求項１６】
シースルー、または透明、または透明化されたプラスチック材料から作製される、請求項１〜１５のいずれか一項に記載のクロージャ。
【請求項１７】
前記オーバーキャップは、破壊可能なタブを用いて容器または注出口に付設される、請求項１〜１６のいずれか一項に記載のクロージャ。
【発明の詳細な説明】
【技術分野】
【０００１】
本発明は、容器の開口部上に取り付けられる事前箔張クロージャ（ｐｒｅ−ｆｏｉｌｅｄ  ｃｌｏｓｕｒｅ）に関する。
【０００２】
飲料やその他の液体用のカートンおよびプラスチック容器は、誘導加熱によって密封された（ＩＨＳ）箔を用いて密封されることが多く、これは典型的には注出口内にある容器の口の周縁に接合される。この箔は、開口部を閉鎖し、その結果として、気体障壁を提供する。
【０００３】
従来式の容器（剥離可能な箔で密封され、タブが提供され、オーバーキャップを除去して箔を露出してから剥離動作により箔を除去できる）とは対照的に、現代的なＢＡＰ（登録商標）事前箔張クロージャの設計では、容器の内容物へのアクセスを得るために、接合された箔において引裂を起こすことが通常必要である。例えば本出願人自身の先の出願ＧＢ第２３７７７０１号（ＳＰＲＥＣＫＥＬＳＥＮ  ＭＣＧＥＯＵＧＨ  ＬＴＤ、２００３−０１−２２）に記載のように、箔は、その境界が周縁と注出口の一部との間で接合されていてもよく、それにより剥離式の開口の場合の箔の境界へのアクセスがなくなる。
【０００４】
剥離可能な箔を使用する従来式のクロージャの一例は、ＥＰ第１２６６８３９Ａ号（ＰＯＲＴＯＬＡ  ＰＡＣＫＡＧＩＮＧ  ＬＴＤ、２００２−１２−１８）に記載されている。この例では、箔膜の除去を援助するためにプルタブが提供されている。剥離可能なＩＨＳ箔は、引裂可能なＩＨＳ箔と比較して、より厚く、より多くの層を有することがあり、またより重く、そのためより高価である。
【背景技術】
【０００５】
ＧＢ第２３５０１０５Ａ号（ＳＰＲＥＣＫＥＬＳＥＮ  ＭＣＧＥＯＵＧＨ  ＬＴＤ、２０００−１１−２２）には、箔にプレートを密封し、箔を支持するように示唆されている。このプレートは、開口過程においてオーバーキャップに対して旋回できるように、オーバーキャップに設置される。このプレートは、主として、箔を支持し、クロージャを加圧流体と共に使用する場合に、気体の圧力によって箔が破られるのを防止するために提供される。しかし、オーバーキャップの開口は、箔膜の引裂も起こし、密封の破壊もする。
【０００６】
ＧＢ第２１０８４６４号（ＣＯＮＴＡＩＮＥＲ  ＣＯＲＰＯＲＡＴＩＯＮ、１９８３−０５−１８）には、図６〜８に関連して、開口部を画定する容器と、開口部を閉鎖し、容器周縁に誘導加熱によって密封されるように構成される境界を有する箔膜と、箔に接合されて箔の除去可能部分を画定する端部で終端する構造（ｆｏｒｍａｔｉｏｎ）を有するオーバーキャップとが記載されている。この構造は、円筒型の内縁を有するヒンジ付きの蓋であり、これは容器の周縁と揃えて配置され、容器の周縁によって直接支持されるように閉鎖される。これによって破壊されにくい強い密封が得られ、蓋が持上げられたあと、箔はいずれかの周縁に接合されたままとなり得る。容器と、箔と、オーバーキャップとは、単一の操作で組立てられるが、これはアセンブリの問題に繋がる。
【０００７】
本発明が関連する、容器の開口部上に取り付けられる事前箔張クロージャとは対照的に、カートン装備品の分野では、特許文献１（ＣＡＰ  ＳＮＡＰ  ＣＯ．、１９９３−０７−２２）には、開口部を画定する注出口と開口部を閉鎖する箔膜とを備えるクロージャが記載されているが、このクロージャは箔に接合されて箔膜の除去可能部分を画定する端部で終端する箔保持構造を有する開口可能部を有し、この箔膜は、容器への取り付け前に、クロージャの非開口可能部にも接合されている。このクロージャは、図５のオプションの実施形態として、Ｃａｐ  Ｓｎａｐによって記載されているが、ここでは箔保持構造は、プラグのスカートの下端部であり、これはクロージャを開口するために、注出口を介して持上げなければならない。Ｃａｐ  Ｓｎａｐは、注出口を画定する装備品のフランジよりも直径の大きい箔の円板の使用も教示している。このＣａｐ  Ｓｎａｐの箔は、接合作業において、片面のみが使用される。スカートを隣接する注出口に溶接せずに、どのようにして箔に溶接を作成するのか、あるいはクロージャをどのようにして開口することができるのかについては教示されていない。フランジを超える支持も保護も受けていない箔の境界が存在することにより、このクロージャを取り扱う際にも、多くの課題が存在するであろう。またこのクロージャは、箔の端部と他方の面とを容器の内容物に暴露したままにするであろう。
【０００８】
容器の口が大きい程、箔膜の引裂を起こすのがより困難になる。これらの問題は、ＧＢ第２４０４９１６号（ＳＰＲＥＣＫＥＬＳＥＮ  ＭＣＧＥＯＵＧＨ  ＬＴＤ、２００５−０２−１６）において検討されているが、これは、引裂を起こすのに要求される引張力を減少させるための、プルリングの支持脚の設置に対する設計改善を教示している。
【特許文献１】国際公開第９３／１３９９８Ａ号パンフレット
【発明の開示】
【発明が解決しようとする課題】
【０００９】
本発明は、除去可能なプルリングおよび箔の持上げの問題がなく、また使用者側の過度の力、技術、知識、または器用さの必要性もない箔の開口において、事前箔張クロージャによって生じる技術的課題に対処している。
【課題を解決するための手段】
【００１０】
本発明のクロージャは、クロージャが容器の開口端上にクロージャを係合させるための手段を有することと、箔膜が、容器に誘導加熱によって密封されるように適合された境界を備えるようにクロージャ内部に保有されることと、開口可能部が、クロージャの非開口可能部に対して枢動可能であることとを特徴とする。
【００１１】
同様の原理は、開口可能部はオーバーキャップの全体である小型プラスチッククロージャ、あるいは開口可能部がオーバーキャップの一部であって残部に対して枢動可能である大型缶または容器の末端に利用することができる。
【００１２】
好ましくは、箔膜は、非開口可能部上の開口部の端部に近接するランドに接合されることにより、開口過程において、ランドと箔保持構造の隣接する部分との間に張設（ｓｔｒｅｔｃｈ）される箔の範囲を生成し、その張設範囲において初期引裂を生成する。好ましくは、張設範囲は、開口可能部が中心にして枢動開口するヒンジの反対側にある。この引裂を生成するために、開口部の端部とランドとの間に少なくとも１つの箔引裂歯（ｆｏｉｌ  ｔｅａｒｉｎｇ  ｔｏｏｔｈ）を備えることが望ましいであろう。
【００１３】
この構造の端部は、箔に連続または断続溶接してよい。この構造は、好ましくは、半径が０．３ｍｍ未満であり、好ましくは０．１ｍｍの端部を有する垂下壁である。
【発明の効果】
【００１４】
上述の先行技術から理解されるように、蓋を開口し、同時に箔を除去するという考案は、望ましい考案である。しかし、その実現は、先行技術の提案が実際には開口不可能であることが明らかにされ、容易ではないことが示されてきた。
【００１５】
使用時に、開口可能部は、箔の除去可能部分と共に除去される。これは、除去可能なリングプルに付随するゴミの散乱問題を解消する。
【００１６】
本発明によるクロージャには、回収可能な金属製コアを別途使用する必要があり、成形サイクルタイムを増大する複雑なリングプル構成がないため、非常に容易に成形できる。
【００１７】
箔の端部を溶接するために必要なエネルギは、端部が微細であるため、あまり大きくない。これは、ＧＢ第２３５０１５Ａ号（ＳＰＲＥＣＫＥＬＳＥＮ  ＭＣＧＥＯＵＧＨ  ＬＴＤ、２０００−１１−２２）におけるように、プレートを箔に溶接するために消耗されるエネルギとは対照的である。
【００１８】
オーバーキャップが適切な位置に挟持され、使用者が用いてオーバーキャップを持上げることができるピークを有するクロージャの実施形態では、この構造は、ピークと一直線に並べられた先端で収束する形状を有することが好ましい。
【発明を実施するための最良の形態】
【００１９】
本発明をよく理解できるように、その５つの実施形態を添付の概略図面を参照しながら、例示のみを目的として説明する。
【００２０】
本発明は、図１〜４および図１１〜１４に示されるような容器の開口上で使用するための単一片の注出口オーバーキャップとしても、あるいは図５〜１０に示されるような注出口とオーバーキャップの組み合わせとしても実施できる。
【００２１】
（第１実施形態）
容器の開口端用のクロージャ２は、容器の開口にクロージャを設置する前に箔膜２０が誘導加熱によって密封された注出口オーバーキャップ４から成る。
【００２２】
箔膜２０は両面箔であり、これは片面が出口オーバーキャップが成形されている材料と適合するプラスチック材料で被覆され、他面は容器の材料と適合するプラスチック材料で被覆された薄いアルミニウム箔である。膜２０は、プラスチック製障壁膜であっても、あるいはプラスチック製障壁膜を包含してもよい。例えば、膜は、プラスチック製障壁層を包含する積層品でよい。
【００２３】
図１に示される注出口４は、ＨＤＰＥまたはＰＰなどの比較的硬質のプラスチック材料から、単一片に成形することができる。ＬＤＰＥは、可塑性が高すぎるため好適ではないであろう。注出口４は、スカート８を備えるオーバーキャップ６の形式の非開口可能部から成る。開口部１０は、非開口可能部に画定され、便利な注ぎ口を提供するように形成された端部１２を有する。開口可能部１８は、図１に示されるように、垂直位置に成形され、開口可能部の基底と非開口可能部との間に薄いプラスチックウェブで形成されたヒンジ２２でオーバーキャップ部分と合流する。注出口をこの構成に成形することによって、横方向に分離可能な２つの部分を有してオーバーキャップの上面を形成する３部分金型を用いて効率的に構成することができる。これらの上部分は、それらの対向する面の間に開口可能部１８を形成するためのキャビティを画定する。開口可能部１８は、開口部１０内部に収まるように形成された箔保持端部構造２４を担持する。開口可能部の遠隔端にあるフランジ２６は、握持して持上げることができるように、開口可能部の残部に対して角度を成す。このフランジ２６は、開口可能部が下方に枢動してオーバーキャップの残りの部分と同じ面内に入ったとき、スカート８の外部に位置する。
【００２４】
図２は、開口可能部１８が閉鎖されたあとのオーバーキャップの裏面を示している。オーバーキャップのこの面では、周辺幅広ランド２８が内側端部周囲に形成され、箔膜２０を注出口内に保持する。ランド３０は、開口部１０の周辺にも備えられる。このランド３０は、開口部１０の端部に近接し、少なくともヒンジ２２の反対側になければならない。
【００２５】
成形されるとき、これらのランドは完全に平坦でないが、端部に沿って隆起したリッジ３２を有する。誘導加熱によって密封する箔膜２０は、ランド２８、３０の表面上に取り付けられると、リッジ３２と接触して、これがまず融解して、箔２０のプラスチック被覆に溶接される。このように、ブリッジを融解するのに十分なエネルギだけを供給して、融解されたプラスチックがランドにわたって流れるようにすることによって全体を形成できるため、エネルギの消費が少ない。これは、事前箔張において、成形物の残りの部分が損傷を受けないようにもする。
【００２６】
一連の箔引裂歯１９は、開口部１０の端部１２の周囲に形成される。この歯は、開口部の周囲全体を再形成する必要はないが、ヒンジと反対側の範囲において、その範囲にある開口部の端部に近接するランド３０の一部との間に少なくとも１つの箔引裂歯を有することが望ましいであろう。これは、この範囲で、開口可能部が枢動して開口されるときに箔膜における初期引裂が行なわれるためである。
【００２７】
図４の変形例では、標準３５０ｍｌ缶の形状を有するＰＥＴ容器での使用を目的としている。開口可能部１８’は、注出口オーバーキャップ４の全幅に渡って延在し、オーバーキャップの端部にヒンジ２２を有し、それによって開口可能部が枢動開口される。開口可能部１８’は、凹部に成形された持上げ可能なタブ３３を有することにより、オーバーキャップ非開口可能部６に対する開口可能部の枢動を容易にする。図面に示されるように、箔保持具２４は、箔２０が見えるように、開口部１０の真上の開口部２５を囲む。この開口部２５は、使用時には栓で覆うことができる。この変形例では、オーバーキャップ６の開口部１０は、缶の口の中心に向かって一点で収束する涙形として、ヒンジ２２の反対側に示されている。
【００２８】
（第１実施形態の組立と使用）
注出口オーバーキャップ要素４は、図１に示されるように成形され、金型から取り外される。各要素の開口可能部１８は、次に、箔保持構造壁２４が開口部１０にスナップ嵌合するように折曲される。箔円板２０は、次に、各オーバーキャップの内部に設置されて下面全体を覆う。アンビルが表面のランド２８、３０に接触している円板を保持している間に、アセンブリは、誘導加熱密封用チャンバ内で、箔膜をランド２８および３０に溶接して事前箔張クロージャを形成するのに十分な熱をアルミニウム箔に生成する磁界にさらされる。箔２０の端部は、スカート８内部にあるため、事前箔張クロージャの運搬中の損傷から保護される。
【００２９】
以前のＢＡＰ（登録商標）クロージャと同様に、クロージャ２は、閉鎖した、箔を張った状態で殺菌し、容器に嵌合されることになる工場に供給することができる。
【００３０】
事前箔張クロージャは、ランド２８の反対面に箔の境界を露出しているが、これは容器の周縁に接合できる。箔２０のこの境界は、両面に溶接されることになるので、相当の力を加えなければ、容器からこの境界を分離させることは非常に困難である。またこの溶接は、箔２０内の露出されたアルミニウム端部を容器の内容物に接触しないようにもする。箔保持具２４の反対側の箔には容器のどの部分も接合すべきではなく、そのためこの接合は、容器の周縁での接合よりも選択的に弱くなる。
【００３１】
使用者がクロージャ２を開口したい時、開口可能部１８は、フランジ２６によって握持され、ヒンジ２２を中心に枢動させられる。これは、ランド３０と箔保持構造２４の隣接する部分との間のヒンジの反対側の範囲（この変形例では、オーバーキャップの外端部に隣接）の箔膜２０が伸張して、箔引裂歯１９に接触するが、これは伸張が引裂を起こさない場合に、引裂を起こす。開口するために最低限の力を要するクロージャを設計するためには、箔保持具と非開口可能部に接合された箔の一部との間のこの張設範囲において、比較的狭い箔のブリッジのみを有することが望ましい。箔の少なくともこの張設範囲において開口圧力を得るためには、持上げ力が比較的小さい面積に印加されることが望ましく、またこれは開口部を先細にし、枢動作用を用いて箔保持具を持上げることによって達成される。
【００３２】
図４に示される変形例では、使用者は、プルタブ３３を握持し、それを持上げる。これは、ヒンジ２２の反対側にある、箔保持具２４との間の張設範囲において、容器の中央にある涙形開口部１０の先端で、箔に相当な開口圧力を生成する。この範囲は、密接したランド３０によって限定され、また切断歯１９を包含して、その上に箔が張設されて貫かれてもよい。箔が引裂かれると、開口可能部１８’は、ヒンジ２２を中心に枢動することができる。またこれは、非開口可能部と開口部の端部付近のランド３０との間の範囲において箔２０の残部を張設し、それにより開口部周囲に引裂が伝播し、その結果、壁２４に囲まれた箔２０の一部が、開口可能部１８’の枢動によって開口部１０から持上げられる。これは、ゴミの散乱を解消する。
【００３３】
（第２実施形態）
ここで、図５〜１０を参照して、注出口およびオーバーキャップの実施形態を説明する。
【００３４】
容器（図示せず）に嵌合するためのクロージャ２は、ヒンジ８０によって引上げ蓋式オーバーキャップ６０に接続された注出口４０から成る。この注出口４０はクロージャ２の非開口可能部を構成し、オーバーキャップ６０は開口可能部を構成する。注出口４０は、開口部１０と基部１４０とを画定する円筒型壁部分１２０を有する。円筒型壁部分１２０は、注ぎ口１６０で終端する。密封リブ１８０は、オーバーキャップ６０の弁に接して密封するように、壁１２０の内面周囲に形成される。一連の箔引裂歯１９は、開口部１０の周囲に形成される。
【００３５】
箔膜２０は、注出口４０の開口部１０全体を密封する。箔膜２０の境界２２０は、誘導加熱による密封によって注出口の基部１４０に溶接される。
【００３６】
注出口４０の構成は、通常は注出口の開口部１０に渡って成形される除去可能部分が意図的に省略されていることを除いて、出願人自身の以前の出願であるＧＢ第２３７７７０１Ａ号（ＳＰＲＥＣＫＥＬＳＥＮ  ＭＣＧＥＯＵＧＨ  ＬＴＤ、２００３−０１−２２）に記載されているもの、またその技術に基づいた設計によって製造されたＢＡＰ（登録商標）クロージャと同様である。かかる除去可能部分はその付随するリングプルと共に、注出口の金型またはヒンジ付き金型の注出口部分の原価および費用を大幅に増加させる。注出口構造の残りの詳細は、当業者には周知であり得るので、ここではさらに記載しない。
【００３７】
オーバーキャップ６０も、前述の以前の明細書に記載のものと実質的に同様である。オーバーキャップは、上壁３００と、側壁３２０と、ヒンジ８０の反対側にあるピーク３４とを有する。円筒型の弁３６は、上壁３００の内部から下垂し、その外面が注出口４０の側壁１２０内部の密封リブ１８０と係合して、それに接して密封するように位置付けられる。しかし本発明のオーバーキャップは、追加の箔保持構造があるという点で異なり、この場合、円筒型壁４００が箔保持具として作用する。箔保持具４００は、弁３６内部のオーバーキャップ６０の上壁３００から下垂する。箔保持具４００は、微小な半径０．３ｍｍ未満、好ましくは０．１ｍｍで形成された端部４２で終端する。壁４０の厚さは、端部４２に向かって漸減する。箔保持具４００の高さは、オーバーキャップ６０が注出口４上で閉鎖されたときに、端部４２が箔膜２０の上面にちょうど触れる高さである。端部４２は、箔２０と接触しているとき、箔膜２０の円形部分を画定し、包囲する。
【００３８】
端部４２は、図１の端部４２の主要部分に示されるように、連続的でよい。端部４２は、４４に図示されるように、凹凸状であってもよい。それにより端部は、切欠き４８によって隔てられる短い部分４６を有して断続的であってよい。端部の部分４６のみが、箔膜２０に溶接されることになる。切欠き４８の形状は、成形および引裂を容易にするように設計されるべきであることは理解されるであろう。
【００３９】
箔膜が端部４２の範囲で脆弱にされ、引裂を容易にすることができる。この脆弱化は、レーザー加工によって生成できる。このステップは回避することが好ましいが、厚めの箔の場合、あるいは端部４２が十分微細に成形できない場合に必要になることがある。
【００４０】
矢印５０は、ピーク３４の中心に向くように、上壁３００の平坦な最上面に凹所として成形される。この矢印は、クロージャを開口すべき地点を指示するために、消費者をピークに誘導する。矢印を凹所として形成することにより、盲目あるいは弱視の消費者によるクロージャの使用を容易にする。
【００４１】
破壊可能なタブ（図示せず）をオーバーキャップの端部と注出口との間に形成して、可視的な不正加工防止を容易にする。かかる破壊可能なタブは、オーバーキャップが持上げられる前に除去しなければならない。オーバーキャップの周りの帯や細片などのその他の標準的な形式の不正加工防止も、このクロージャとの使用に適合させられる。
【００４２】
（第３実施形態）
図１０は、箔保持具４００の代替実施形態を示しているが、その他の部分は上述の実施形態と同一である。図１０に示されるように、構造４００は円筒型壁ではなく、ピーク３４の中心と一直線に並べられたより細い先端５２で収束するように形成されている。
【００４３】
この構造の別の変形例は、図１０ａおよび１０ｂに示される。これらの設計では、構造４００は、ピーク３４のいずれかの側に離間した先端５２’を画定する形状を有する。これらの設計は、最小労力で箔の包囲された部分を裂き取る際により効果的であると考えられる。
【００４４】
（オーバーキャップと注出口の実施形態の組立および使用方法）
記載される注出口とオーバーキャップの実施形態は、図５に示されるような開口状態で、注出口とオーバーキャップとを合わせて形成する金型を用いて、簡単に単一片として成形することができることが理解されるであろう。クロージャ２は、ヒンジ８０を中心にオーバーキャップ６０を枢動して、弁３６が注出口４０内部に係合されるようにすることによって組み立てられる。図９に示されるようなこの閉鎖状態では、箔膜２０は、注出口の基部１４０に設置され、注出口に誘導加熱によって密封される。この誘導加熱による密封過程は、箔を設置圧が印加されたときに接触するプラスチック材料の部分に溶接する。従って、箔の境界２２０は、基部の水平面に溶接される。箔２０に接触する端部４２、あるいはその離間した部分４６もそこに溶接される。注出口４０の箔とプラスチックの端部４２との間の接触面積を制限することは、箔を溶接するために使用されるエネルギの量を減少させ、後に箔を引裂く労力を抑える。
【００４５】
以前のＢＡＰ（登録商標）クロージャと同様に、クロージャ２は、閉鎖した、箔を張った状態で殺菌し、容器に嵌合されることになる工場に供給することができる。
【００４６】
記載されるようにクロージャによって閉鎖された容器が消費者によって受け取られたとき、矢印５０に指示される位置にあるオーバーキャップのピーク３４に印加される持上げおよび枢動力の印加によって、容器を開口することができる。クロージャの最初の開口時、箔２０が持上げられ、構造４００によって張設されるときに、ある程度の抵抗がある。この持上げ力は、最終的には端部４２に隣接する箔を引裂く。箔が破られると、破裂音が聞こえる。これは、消費者に、クロージャが不正加工されていないという再保証を与える。
【００４７】
オーバーキャップ６０が完全に枢動開口されると、箔保持具４００内の空間は、通常は、開口過程において除去された包囲された箔の部分で覆われる。箔は、開口部１０の端部において、歯１９によって引裂かれてもよい。
【００４８】
図１０の実施形態では、使用者によってピーク３４に印加される持上げ力は、まずその力が集中する先端５２で引裂を生成する。引裂は、そのあと端部４２周囲の両方向に伝播し、箔の滴形の包囲された部分がオーバーキャップと共に除去される結果となる。図１０ａおよび１０ｂの外形を用いても類似の効果が生じる。これらの方式のうちの１つで端部４２を形成することは、大きいクロージャや厚い箔を用いた使用において特に望ましい。
【００４９】
多くの場合、端部４２に包囲される箔２０の部分のみの除去によって形成される開口部を通して、容器の内容物を取り出すことが可能である。しかし、開口部１０に渡る箔の残りの範囲（存在する場合）を容器に押し込んで、開口部１０全体を開放することもできる。
【００５０】
箔２０の除去された部分はクロージャに保持されるため、ゴミの散乱問題は解消される。
【００５１】
正確な引裂の伝播は、開口過程において印加される力に依存し、また記載されるようなクロージャの有用性は、いかなる特定の引裂パターンにも依存しないことは理解されるであろう。
【００５２】
クロージャは、既存のＢＡＰ（登録商標）クロージャと同様に、消費者によって再密封することができる。商標差別化の目的で、オーバーキャップの様々な形状と設計を容易に実施できる。そのため本発明の構造は、以前のクロージャの全ての消費者属性を保持するが、より単純な成形とより軽量なクロージャを可能にする。従って、本発明は、価格感受性がより高い用途に好適なクロージャを作製する。
【００５３】
（缶末端の実施形態）
図１１〜１４は、一体成形されたクロージャ６００（二体成形されたものやヒンジ付きのものとは対照的）が、例えば飲料缶または熱成形プラスチック材料で作られたボトルなど、円筒型缶６１の末端全体を置き換えるように設計される、本発明の実施に関連する。缶は、基本的にカップ型であり、クロージャ６００によって閉鎖できる開口部を有する。
【００５４】
クロージャ６００は、平坦な最上面６４と垂下スカート６６とを有するオーバーキャップ６２と、最上面６４の内面上に形成された環状リッジまたはランド形式の箔保持構造７０によってオーバーキャップ内部に保有される箔膜円板６８とを備える。箔保持具７０は、箔６８に接合された端部７２で終端する。
【００５５】
スカート６６の端部は、その内側面周囲に形成されたビード７４を有することにより、組立の際にオーバーキャップを缶末端上に係合して適切な位置に保有するための手段を提供する。クロージャ６００は、箔６８の境界を缶の周縁に誘導加熱によって密封することにより、缶末端に密封される。
【００５６】
オーバーキャップ６２は、オーバーキャップの残部から引裂かれて飲み口または注ぎ口を形成するように適合された部分８００も有する。部分８０は、箔保持構造７０の弓状部８２を担持する。部分８０は、両側に沿った引裂線８４によってオーバーキャップの残部から隔てられる。これらの引裂線８４は、薄いプラスチックウェブである。ヒンジ８６は、オーバーキャップの最上面６４の中心に最も近い除去可能部分８００後部に形成される。ピーク８８を部分８０の前端部に成形して、その部分の持上げを容易にすることができる。タブ９０は、スカート６６の残部から外向きに突出するように形成され、これを把持して、部分８００の引裂を起こし、続いてヒンジ８６を中心にして部分８００を枢動することによって開口することができる。部分８００がこのように開口されると、箔は、箔保持構造７０の部分８２によって持上げられて引裂かれる。
【００５７】
タブ９０は、開口部と反対側のスカート６６の端部上で挟持することにより、使用者の口から外れた真向かいに挟持される。開口後、缶は、部分８０を開口部上に戻すことによって閉鎖することができる。
【００５８】
代替形式の缶末端クロージャは、図１３および１４に示される。類似する部分には、同様の参照番号を使用している。この実施形態では、オーバーキャップ６２は、連続的な上面を有さず、箔膜６８の部分を露出している。オーバーキャップ６２の上面の部分９４は、プルタブ９６を握持して除去することができるように成形される。この実施形態では、箔保持具は、点線で示される部分９４下部の壁構造９８である。この構造９８は、前述の実施形態に示されるような閉鎖円である必要はない。１つを超える箔保持具端部があってもよい。このタイプの缶末端は、多様なタイプの注出口構造に適合できる。
【００５９】
開口過程において除去されるオーバーキャップの一部上にある箔膜に溶接された端部を有する箔保持具の概念を考慮することによって、当業者が、便利な飲み口を残すために必要とされる、箔の必要な部分の引裂および持上げを容易にする端部の種々のパターンおよび構成を設計できるであろうことは、理解されるであろう。箔保持具端部によって保有される箔の除去された部分は、審美性のある形状を有するように設計することもできる。
【００６０】
（変形例）
図５〜１０に図示されるクロージャは、３３ｍｍの瓶首での使用が意図されているが、広口ボトルやより小さい飲料ボトルにも使用でき、またあらゆる直径の広口瓶、カートン、缶、および熱成形容器に適合できることが理解されるであろう。
【００６１】
オーバーキャップを隣接する基部の壁に係止する、ピーク３４に隣接した除去可能または破壊可能なタブによって、さらなる不正加工防止が提供される。缶末端の実施形態では、類似の破壊可能なタブまたはその他の不正加工防止構成を提供することができる。缶末端の実施形態は、様々な缶の直径にも使用できる。
【００６２】
オーバーキャップ６、６０、または６２をシースルー、または透明、または透明化されたプラスチック材料から成形することによっても、さらなる可視的な不正加工防止が提供される。
【００６３】
それにより、可視式、可聴式、または触覚による機構によってフィードバックを提供し、クロージャによって供給される製品が、以前に開口されていない、あるいは不正加工されていないという再保証を、消費者に与えることができる。
【図面の簡単な説明】
【００６４】
【図１】図１は、本発明の第１実施形態によるクロージャ用に成形された注出口の透視図である。
【図２】図２は、図１の注出口の下方からの図である。
【図３】図３は、図２のライン３−３における断面であり、箔膜が取り付けられたクロージャを示している。
【図４】図４は、クロージャの第１実施形態の変形例の透視図であり、クロージャは、缶に固定され、開口状態で示されている。
【図５】図５は、注出口およびオーバーキャップの開口状態での透視図であり、本発明の第２実施形態による構造の端部に対する２つの代替的な設計を示している。
【図６】図６は、図５のオーバーキャップおよび注出口の平面図を示す。
【図７】図７は、図６のライン７−７における断面を示す。
【図８】図８は、閉鎖され、箔が張られた状態へと組立てた後のクロージャの第２実施形態の平面図を示す。
【図９】図９は、図８のライン９−９における断面を示す。
【図１０】図１０は、本発明の第３実施形態による、オーバーキャップおよび注出口の平面図を示す。
【図１０ａ】図１０ａは、図１０と同様の平面図であり、箔保持具の形状の外形の変形例を示している。
【図１０ｂ】図１０ｂは、図１０と同様の平面図であり、箔保持具の形状の外形の変形例を示している。
【図１１】図１１は、本発明の第４実施形態による、缶末端用のクロージャの透視図を示す。
【図１２】図１２は、図１１のオーバーキャップの端部を通る断面を示す。
【図１３】図１３は、缶末端用のクロージャの第５実施形態を示す。
【図１４】図１４は、図１２のオーバーキャップの端部を通る断面を示す。
【図１】
2009527422.tif 000003
【図２】
2009527422.tif 000004
【図３】
2009527422.tif 000005
【図４】
2009527422.tif 000006
【図５】
2009527422.tif 000007
【図６】
2009527422.tif 000008
【図７】
2009527422.tif 000009
【図８】
2009527422.tif 000010
【図９】
2009527422.tif 000011
【図１０】
2009527422.tif 000012
【図１０ａ】
2009527422.tif 000013
【図１０ｂ】
2009527422.tif 000014
【図１１】
2009527422.tif 000015
【図１２】
2009527422.tif 000016
【図１３】
2009527422.tif 000017
【図１４】
2009527422.tif 000018
【国際調査報告】
2009527422.tif 000019
2009527422.tif 000020
2009527422.tif 000021